(57)【要約】【課題】  窮屈な装身感をもたらすことなく男性性器の衛生状態を保持する。【解決手段】  外布１と内布３との二重構造を備え、内布３が男性性器の陰茎，陰嚢を覆う三角形に近似した形状に形成されている。外布１は、トランクス形に形成されている。内布３は、前方側端と後方側端とが部分的に外布１に固定されている。外布１と内布３とは、排尿時に開放して男性性器の陰茎を引出すことができ排尿時以外では閉鎖される性器引出口２，４が設けられている【選択図】図１
0003135202.tif 000002
【実用新案登録請求の範囲】
【請求項１】
外布と内布との二重構造を備え、内布が男性性器の陰茎，陰嚢を覆う三角形に近似した形状に形成された男性用下半身衣類において、外布はトランクス形に形成され、内布は前方側端と後方側端とが部分的に外布に固定され、外布と内布とは排尿時に開放して男性性器の陰茎を引出すことができ排尿時以外では閉鎖される性器引出口が設けられていることを特徴とする男性用下半身衣類。
【請求項２】
請求項１の男性用下半身衣類において、少なくとも内布の性器引出口は特別な部材が取付けられず布材の重合わせ構造で開放，閉鎖がなされるものであることを特徴とする男性用下半身衣類。
【請求項３】
請求項１または２の男性用下半身衣類において、外布と内布とは互いに大きな摩擦を生じない材質で形成されていることを特徴とする男性用下半身衣類。
【考案の詳細な説明】
【技術分野】
【０００１】
本考案は、男性が下着等として下半身に装身する男性用下半身衣類に係る技術分野に属する。
【背景技術】
【０００２】
最近、男性が下着等として下半身に装身する男性用下半身衣類については、衛生面，ファッション面等から種々の改良が加えられてきている。
【０００３】
従来、男性用下半身衣類としては、例えば、特開２００２−８８５０３号公報に記載のものが知られている。
【０００４】
この従来の男性用下半身衣類は、衛生面を考慮した下着として提供されているもので、
外布と内布との二重構造を備え、内布が男性性器の陰茎，陰嚢を覆う三角形に近似した形状に形成され、内布に男性性器の陰茎，陰嚢を常時引出しておく性器引出口が設けられてなる。
【０００５】
この従来の男性用下半身衣類によると、男性性器の陰茎，陰嚢とその周囲の下腹部（特に肛門部）との接触が内布によって遮断することで、男性性器の衛生状態が保持される。
【考案の開示】
【考案が解決しようとする課題】
【０００６】
前述の従来の男性用下半身衣類では、男性性器の陰茎，陰嚢が内布に設けられた性器引出口で締付けられてしまうため、窮屈な装身感になってしまうという問題点がある。
【０００７】
なお、男性性器の陰茎，陰嚢とその周囲の下腹部との接触を遮断しなくとも、充分な通気性を確保すれば、男性性器の衛生状態が保持され得るものである。
【０００８】
本考案は、このような問題点を考慮してなされたもので、窮屈な装身感をもたらすことなく男性性器の衛生状態を保持することのできる男性用下半身衣類提供することを課題とする。
【課題を解決するための手段】
【０００９】
前述の課題を解決するため、本考案に係る男性用下半身衣類は、実用新案登録請求の範囲の各請求項に記載の手段を採用する。
【００１０】
即ち、請求項１では、外布と内布との二重構造を備え、内布が男性性器の陰茎，陰嚢を覆う三角形に近似した形状に形成された男性用下半身衣類において、外布はトランクス形に形成され、内布は前方側端と後方側端とが部分的に外布に固定され、外布と内布とは排尿時に開放して男性性器の陰茎を引出すことができ排尿時以外では閉鎖される性器引出口が設けられていることを特徴とする。
【００１１】
この手段では、外布をトランクス形とすることで、充分な通気性が確保される。また、外布，内布に排尿時に開放して男性性器の陰茎を引出す性器引出口を設けることで、排尿時以外では性器引出口が閉鎖されて男性性器が締付けられなくなる。
【００１２】
また、請求項２では、請求項１の男性用下半身衣類において、少なくとも内布の性器引出口は特別な部材が取付けられず布材の重合わせ構造で開放，閉鎖がなされるものであることを特徴とする。
【００１３】
この手段では、内布の性器引出口を特別な部材が取付けられず布材の重合わせ構造で開放，閉鎖がなされるものとすることで、内布に無用の凹凸部が形成されるのが避けられる。
【００１４】
即ち、請求項３では、請求項１または２の男性用下半身衣類において、外布と内布とは互いに大きな摩擦を生じない材質で形成されていることを特徴とする。
【００１５】
この手段では、外布と内布とが互いに大きな摩擦を生じない材質で形成されることで、内布に対して外布が捲上がったり捻れたりするのを避けることができる。
【考案の効果】
【００１６】
本考案に係る男性用下半身衣類は、外布をトランクス形とすることで、充分な通気性が確保されるため、男性性器の衛生状態が保持される効果がある。また、外布，内布に排尿時に開放して男性性器の陰茎を引出す性器引出口を設けることで、排尿時以外では性器引出口が閉鎖されて男性性器が締付けられなくなるため、窮屈な装身感をもたらすことがない効果がある。
【００１７】
さらに、請求項２として、布の性器引出口を特別な部材が取付けられず布材の重合わせ構造で開放，閉鎖がなされるものとすることで、内布に無用の凹凸部が形成されるのが避けられるため、良好な装身感が得られる効果がある。
【００１８】
さらに、請求項３として、外布と内布とが互いに大きな摩擦を生じない材質で形成されることで、内布に対して外布が捲上がったり捻れたりするのを避けることができるため、装身後に装身の位置ずれを起こすことがなくなる効果がある。
【考案を実施するための最良の形態】
【００１９】
以下、本考案に係る男性用下半身衣類を実施するための最良の形態を図面に基づいて説明する。
【００２０】
図１〜図４は、本考案に係る男性用下半身衣類を実施するための最良の形態の第１例を示すものである。
【００２１】
第１例では、下着として適用されるものが示されている。
【００２２】
第１例は、図１に示すように、外布１，内布３の二重構造を備えている。
【００２３】
外布１は、綿を主材とする布地でトランクス形に形成されている。従って、穿いた使用者の大腿部との間から外布１の内部となる股間部に対して充分な通気性が確保される。
【００２４】
外布１の前側の中央部には、凹凸のほとんどない性器引出口２が設けられている。性器引出口２は、外布１の布地が縦方向に切断されるとともに切断部分に布地を被せられて二重構造とされている。従って、布地の二重構造の部分に指を掛けて左右反対側に広げることで、布地の切断部分を広げて性器引出口２を開放することができる。性器引出口２の開放は、排尿時に男性性器Ｐの陰茎を引出すに充分な面積が確保される（図３参照）。なお、布地の二重構造の部分に掛けている指を離せば、布地の切断部分が狭まって性器引出口２が閉鎖される。
【００２５】
内布３は、綿を主材とする布地で男性性器Ｐの陰茎，陰嚢を袋状に包込むように覆う三角形に近似した形状に形成されている（図４参照）。内布３の材質としては、吸湿性があって肌接触性が良好であるという下着一般に要請されるものが選択されることに加えて、可能な限り薄性で外布１との間で大きな摩擦を起こさないものが選択される。なお、内布３は、前方側端ａが外布１の前方上端部付近に縫着等で固定され、後方側端ｂが外布１の股間部付近に縫着等で固定されている。
【００２６】
内布３の前側の中央部には、外布１に設けられた性器引出口２と同様（形状的，大きさ的に）の凹凸のほとんどない性器引出口４が設けられている。性器引出口４は、内布１２布地が縦方向に切断されるとともに切断部分に布地を被せられて二重構造とされている。従って、布地の二重構造の部分に指を掛けて左右反対側に広げることで、布地の切断部分を広げて性器引出口４を開放することができる。性器引出口４の開放は、排尿時に男性性器Ｐの陰茎を引出すに充分な面積が確保される（図３参照）。なお、布地の二重構造の部分に掛けている指を離せば、布地の切断部分が狭まって性器引出口４が閉鎖される。
【００２７】
第１例を装身すると、外布１，内布３に性器引出口２，４を設けることによって無用の凹凸部が形成されていないため、良好な装身感が得られる。そして、排尿時以外では性器引出口２，４が閉鎖されて男性性器Ｐが内布３の内部に収容されて締付けられなくなるため、窮屈な装身感をもたらすことがない（図２参照）。なお、内布３が男性性器Ｐの陰茎，陰嚢を袋状に包込むように覆っているため、男性性器Ｐの一部が外布１から不測に露出することはない。
【００２８】
第１例を装身した使用者が激しい活動をしても、外布１，内布３の間に大きな摩擦が生じないため、内布３に対して外布１が捲上がったり捻れたりして装身の位置ずれを起こすことがない。また、使用者が汗をかいても、外布１がトランクス形で男性性器Ｐの陰茎，陰嚢の周囲に充分な通気性が確保されるため、男性性器Ｐの衛生状態が保持される。
【００２９】
さらに、第１例では、外布１，内布３が部分的に固定されて、内布３の大部分が外布１の内部で自由状態にあるため、排尿時に２つの性器引出口２，４をそれぞれ開放して男性性器Ｐの陰茎を引出す操作が面倒になることはない。
【００３０】
さらに、外布１，内布３が部分的に固定されていることを利用して、冬期に外布１，内布３の間に断熱材（防寒材）を差込んだり、夏期に外布１，内布３の間に吸湿材（汗取材）を差込んだりすることも可能である。
【００３１】
図５は、本考案に係る男性用下半身衣類を実施するための最良の形態の第２例を示すものである。
【００３２】
第２例は、内布３の後方側端ｂが外布１の後方上端部付近に縫着等で固定されるように、内布３の大きさが拡張されている。
【００３３】
第２例によると、内布３で肛門部までを覆うことができるため、痔疾患等を患っている人に有効性を発揮する。また、内布３の被覆面積が拡張されているため、冬季用の下着としても有効性を発揮する。
【００３４】
以上、図示した各例の外に、外布１に設けられる性器引出口２にファスナ，ホック等を取付けることも可能である。この形態によると、外布１に少しの凹凸部が形成されるが、装身感を低下させるほどにはならない。
【００３５】
さらに、内布３として強い伸縮性を有する布地を選択して、内布３に設けられる性器引出口４をスリット形とすることも可能である。この形態によると、内布３の伸縮性によって男性性器Ｐを突出させない程度に性器引出口４を閉鎖することができる。
【産業上の利用可能性】
【００３６】
本考案に係る男性用下半身衣類は、下着の外に、内布３を下着として外布１を通常の衣類とした下着付き衣類としても適用することが可能である。
【図面の簡単な説明】
【００３７】
【図１】本考案に係る男性用下半身衣類を実施するための最良の形態の第１例の正面図であり、（Ｂ）に（Ａ）の一部を切断した状態が示されている。
【図２】図１の装身状態の断面図である。
【図３】図２の要部の動作図である。
【図４】図１の要部の斜視図である。
【図５】本考案に係る男性用下半身衣類を実施するための最良の形態の第２例の要部の斜視図である。
【符号の説明】
【００３８】
１   
外布
２            性器引出口
３            内布
４            性器引出口
ａ            前方側端
ｂ            後方側端
Ｐ            男性性器
【図１】
0003135202.tif 000003
【図２】
0003135202.tif 000004
【図３】
0003135202.tif 000005
【図４】
0003135202.tif 000006
【図５】
0003135202.tif 000007